(57)【要約】【課題】構造物に作られた鳥の巣を、巣材をなるべく落下させることなく撤去する。【解決手段】送電鉄塔等の構造物（２）に作られた鳥の巣（４）を突き刺すためのフォーク体（１２）と、該フォーク体に突き刺した鳥の巣を収容するための袋体（１４）とからなり、前記フォーク体は、一方向に伸長する複数の櫛（１２ａ）と該櫛の基部となる握り手（１２ｂ）とを有し、前記袋体は、その底部をフォーク体の櫛に突き通された状態で前記櫛の根元側に手繰り寄せられており、フォーク体を鳥の巣を突き刺して持ち上げた後に広げられて鳥の巣を包み込む。【選択図】図２
2008263705.tif 000002
【特許請求の範囲】
【請求項１】
送電鉄塔等の構造物（２）に作られた鳥の巣（４）を突き刺すためのフォーク体（１２）と、該フォーク体に突き刺した鳥の巣を収容するための袋体（１４）とからなり、
前記フォーク体は、一方向に伸長する複数の櫛（１２ａ）と該櫛の基部となる握り手（１２ｂ）とを有し、
前記袋体は、その底部をフォーク体の櫛に突き通された状態で前記櫛の根元側に手繰り寄せられており、フォーク体を鳥の巣を突き刺して持ち上げた後には広げられて鳥の巣を包み込む、ことを特徴とする鳥の巣の撤去補助器具。
【請求項２】
前記フォーク体（１２）は、突き刺した鳥の巣（４）を上側から挟むための転倒・倒立自在な複数の櫛（１６ａ）を有する押え体（１６）をさらに備えており、
前記袋体は、その底部をフォーク体の櫛（１２ａ）および押え体の櫛（１６ａ）に突き通されて櫛の根元側に手繰り寄せられる、ことを特徴とする請求項１に記載の鳥の巣の撤去補助器具。
【請求項３】
前記フォーク体（１２）には、前記袋体（１４）を押し広げるために、袋体の開口部が仮止めされる弾性棒材からなる枠体（１８）が取り付けられている、ことを特徴とする請求項１又は２に記載の鳥の巣の撤去補助器具。
【請求項４】
前記枠体（１８）は、前記フォーク体（１２）の櫛（１２ａ）を鳥の巣（４）に突き刺して持ち上げた際に、鳥の巣の底側下方に前記袋体（１４）を伸張させる環状枠である、ことを特徴とする請求項３に記載の鳥の巣の撤去補助器具。
【請求項５】
前記袋体（１４）には、一側辺又は両側辺に開口部とつながる切れ込み（１４ｃ）が形成されており、該切れ込みは鳥の巣（４）を袋体に包み込んだ後に閉じられる、ことを特徴とする請求項３又は４に記載の鳥の巣の撤去補助器具。
【発明の詳細な説明】
【技術分野】
【０００１】
本発明は送電鉄塔や変電所や発電所、開閉所の鉄構などの構造物に作られた鳥の巣を、その巣材をなるべく落下させることなく撤去するための鳥の巣の撤去補助器具に関する。
【背景技術】
【０００２】
送電鉄塔や変電所等の構内に林立する鉄構は、カラス等の鳥類が営巣しやすい環境にある。例えばカラスは、巣材に金属性ハンガーなどの導電材を用いるケースが多いため、かかる巣材が設備に落下・接触すると短絡事故の発生原因となることがある。なお従来から送電鉄塔等の営巣されやすい場所には剣山状の鳥除けを設置し、鳥が鉄構等に止まりにくくすることで鳥類の営巣を回避しようとしているが、かかる鳥除けによっても営巣を完全に回避することはできなかった。
【０００３】
そのため送電鉄塔等に営巣された場合には、作業員が送電鉄塔等に登り巣の撤去を行っている。ここで鳥の巣は木の枝等の棒材を絡ませることによって作られており、これをそのまま手で持ち上げて撤去しようとすると、巣材が散けて落下し短絡事故が発生する虞があった。
【０００４】
そこで送電鉄塔等に作られた鳥の巣をできるだけ散けさせることなく撤去するための補助具として、例えば特許文献１の「鳥の巣の撤去装置」などが発案されている。この鳥の巣の撤去装置は、同一方向に並列する複数の櫛を有するフォークを備えており、この櫛が鳥の巣を掬うことができる長さ、かつ、間隔をもって並列しているため、これを鳥の巣の下側に挿し込み、続いて引き寄せることで、鳥の巣を容易に掬いうことができるようになっている。
【特許文献１】特開２００６−２４６７０５号公報
【発明の開示】
【発明が解決しようとする課題】
【０００５】
しかしながら、上記特許文献１に記載の発明では、営巣された鳥の巣を撤去する際に巣材が依然として落下する虞があり、巣材の落下防止策としては不十分であった。
【０００６】
本発明は上記問題点を解決するためになされたもので、その目的は、送電鉄塔等に作られた鳥の巣の撤去作業を容易化するとともに、撤去作業における巣材の落下をほとんどなくすことができる鳥の巣の撤去補助器具を提供することにある。
【課題を解決するための手段】
【０００７】
上記問題を解決するために本発明の鳥の巣の撤去補助器具は、送電鉄塔等の構造物（２）に作られた鳥の巣（４）を突き刺すためのフォーク体（１２）と、該フォーク体に突き刺した鳥の巣を収容するための袋体（１４）とからなり、前記フォーク体は、一方向に伸長する複数の櫛（１２ａ）と該櫛の基部となる握り手（１２ｂ）とを有し、前記袋体は、その底部をフォーク体の櫛に突き通された状態で前記櫛の根元側に手繰り寄せられており、フォーク体を鳥の巣を突き刺して持ち上げた後には広げられて鳥の巣を包み込む、ことを特徴とする。
【０００８】
ここで、前記フォーク体（１２）は、突き刺した鳥の巣（４）を上側から挟むための転倒・倒立自在な複数の櫛（１６ａ）を有する押え体（１６）をさらに備えており、前記袋体は、その底部をフォーク体の櫛（１２ａ）および押え体の櫛（１６ａ）に突き通されて櫛の根元側に手繰り寄せられる、ことが好ましい。
【０００９】
さらに、前記フォーク体（１２）には、前記袋体（１４）を押し広げるために、袋体の開口部が仮止めされる弾性棒材からなる枠体（１８）が取り付けられている、ことも好ましい。
【００１０】
なお、前記枠体（１８）は、前記フォーク体（１２）の櫛（１２ａ）を鳥の巣（４）に突き刺して持ち上げた際に、鳥の巣の底側下方に前記袋体（１４）を伸張させる環状枠である、ものとする。
【００１１】
また、前記袋体（１４）には、一側辺又は両側辺に開口部とつながる切れ込み（１４ｃ）が形成されており、該切れ込みは鳥の巣（４）を袋体に包み込んだ後に閉じられる、ことも好ましい。
【発明の効果】
【００１２】
本発明によれば、予めフォーク体の櫛に底部を突き通して櫛の根元側に手繰り寄せて纏めた袋体を用いることで、フォーク体で突き刺し続いて若干持ち上げた鳥の巣を、その状態で袋体に包み込むことができるため、鳥の巣の撤去作業が容易化されるだけでなく、撤去作業中に巣が散けて巣材が下方に落下することを防止することができる。なお袋体にポリ袋などを用いてやれば、袋詰めされた鳥の巣を袋ごと廃棄することができ便宜である。
【００１３】
ここでフォーク体に突き刺した鳥の巣を上側から挟むための押え体を備え、袋体の底部をフォーク体のおよび押え体の櫛に突き通して櫛の根元側に手繰り寄せ、鳥の巣にフォーク体を突き刺す際には押え体を倒立させ、突き刺した後には押え体を倒して鳥の巣を挟むことで、鳥の巣を安定して持ち上げることができる。なお鳥の巣を挟み込んだ押え体は、袋体により鳥の巣を包み込む際のガイドとなるため、巣材に袋体の開口部が引っ掛かることを抑制して包み込み作業を容易化する。
【００１４】
さらに、袋体の開口部が仮止めされる弾性棒材からなる枠体、例えば鳥の巣を持ち上げた際にその底側下方に袋体を伸張させる環状枠である枠体をフォーク体に取り付けることで、フォーク体を突き刺して持ち上げた後に、袋体を鳥の巣の底側下方に素早く押し広げることができ、巣材が散けて落ちることを効果的に防止することができる。
【００１５】
また、袋体の一側辺又は両側辺に開口部とつながる切れ込みを形成し、鳥の巣を包み込んだ後にはこの切れ込みを閉じることで、枠体が袋体を持ち上げた巣の底側下方に押し広げ易くすることができる。
【発明を実施するための最良の形態】
【００１６】
本発明の鳥の巣の撤去補助器具は、主として電力事業者の設備である送電鉄塔や変電所の鉄構等に作られたカラス等の鳥の巣の撤去作業を容易化するとともに、撤去作業における巣材の落下をほとんどなくすことを目的とするものである。なお撤去の対象となるカラス等の鳥の巣は、一般的には５０ｃｍ前後の直径と、２０ｃｍ前後の厚みを有する大きさとなっている。
以下、図面を参照しながら本発明の鳥の巣の撤去補助器具の構造について図面を用いて説明する。
【実施例１】
【００１７】
図１に示した本実施例の撤去補助器具１０は、送電鉄塔などの構造物上に作られた鳥の巣を突き刺すためのフォーク体１２と、フォーク体に突き刺した鳥の巣を収容するための袋体１４（破線）から構成されている。
【００１８】
フォーク体１２は、一方向に伸長する複数の櫛１２ａと、この櫛の基部となる握り手１２ｂとから構成されている。
各櫛１２ａは直径２ｍｍ程度で長さが５０ｃｍ程度のステンレス製の針金状の５本の櫛が、幅が４０ｃｍ程度となるように、すなわち隣り合う櫛との間隔が１０ｃｍ程度となるように、同一方向に並列して伸長している。また各櫛１２ａはその先端付近が若干反り返ることで、突き刺した鳥の巣を引き寄せ易いようになっている。なお各櫛１２ａは安全を考慮して絶縁体で被覆されている。
各櫛１２ａは、櫛の基部となる握り手１２ｂの先端部に取り付けられている。この握り手１２ｂはステンレス材を熊手形に加工したもので、その表面全体が絶縁体で被覆されている。作業員が手で持つこととなる柄の部分は、直径が３ｃｍ程度で長さが５０ｃｍ程度のステンレス製の円管となっている。なお軽量化によりその取扱を容易にするために、握り手１２ｂをＦＲＰやＡＢＳなどの合成樹脂により形成してやることも好ましい。
【００１９】
本実施例で用いられる袋体１４はごみ袋として一般的に市販されているポリ袋であり、９０リットル程度の容量のものが用いられる。市販のごみ袋を用いることで、撤去して回収した鳥の巣をそのままゴミとして回収に出すことが可能となる。なお袋体１４は市販のごみ袋に限られるものではなく、鳥の巣の撤去のために特別に製作したものであっても勿論よい。その場合には袋体はマチ付きのものとすることが好ましい。
【００２０】
フォーク体１２への袋体１４の取り付けおよびこの撤去補助器具１０の使用は次のように行われる。
撤去補助器具の使用の様子を側面から見た模式図である図２に示すように、まず袋体１４を平置きにしその底部にフォーク体１２の各櫛１２ａを突き通し、櫛の根元側（握り手側）に袋体を手繰り寄せて蛇腹状に纏める（図２（ａ））。その状態で撤去補助器具のフォーク体１２を、構造物２に作られた鳥の巣４の底部側に差し込み（図２（ｂ））、少し持ち上げて手元側に引き寄せ（図２（ｃ））、櫛１２ａの根元側に纏めた袋体１４を鳥の巣を包み込むように押し広げ（図２（ｄ））、最後にフォーク体から袋体ごと鳥の巣を引き抜き袋体の開口部を閉じることで鳥の巣の撤去が行われる（図２（ｅ））。
【００２１】
以上に説明した本実施例の鳥の巣の撤去補助器具によれば、送電鉄塔などの構造物に作られた鳥の巣をフォーク体を突き刺すことによって鳥の巣が散けること防止しつつ構造物から容易に鳥の巣を取り外すことができ、またフォーク体に突き通した袋体を用いることでフォーク体に突き刺して持ち上げた鳥の巣をその状態で袋体に包み込むことができる。これにより、巣材が落下することを防止して鳥の巣の撤去を行うことができる。
【実施例２】
【００２２】
図３に本発明の撤去補助器具１０の第２の実施例を示した。この撤去補助器具１０もフォーク体１２と袋体１４から構成されている。このフォーク体の本体自体および袋体自体は実施例１のものと同様のものである。
【００２３】
ここでフォーク体１２には、突き刺した鳥の巣４を上側から挟むための複数の櫛１６ａを有する押え体１６が備えられている。この押え体１６はステンレス材をΨ字型に加工したものであり、握り手１２ｂの先端部（櫛１２ａの取り付け部分側）に転倒・倒立自在に取り付けられている。押え体１６の各櫛１６ａは、直径２ｍｍ程度で長さが５０ｃｍ程度の針金状の３本の櫛を、幅が３０ｃｍ程度となるように同一方向に並列して伸長したものである。押え体１６の各櫛１６ａはこれを倒した状態で、フォーク体１２の各櫛１２ａと２０ｃｍ程度の間隔をあけて平行し、また倒立させた状態ではフォーク体１２の各櫛１２ａと４５°程度の角度をなすようになっている。なお握り手１２ｂとの取り付け部分には板バネ（図示せず）が内蔵されており、この板バネは押え体１６の各櫛１６ａを倒した際にはフォーク体１２に突き刺した鳥の巣４を挟んで押え込むようにこれを付勢する一方、押え体１６の各櫛１６ａを倒立した際にはその状態を保持するようになっている。
【００２４】
フォーク体１２への袋体１４の取り付けおよびこの撤去補助器具１０の使用は次のように行われる。
撤去補助器具の使用の様子を側面から見た模式図である図４に示すように、まず袋体１４を平置きにしその底部にフォーク体１２の各櫛１２ａおよび倒した状態の押え体１６の各櫛１６ａを突き通し、それらの櫛１２ａ，１６ａの根元側（握り手側）に袋体を手繰り寄せて蛇腹状に纏める（図４（ａ））。そして押え体１６をフォーク体１２に対して倒立させる。この状態で撤去補助器具のフォーク体１２を鳥の巣４の底部側に突き刺した後に（図４（ｂ））、押え体１６を倒して鳥の巣を挟み込んでやる（図４（ｃ））。そこからさらに撤去補助器具１０によって鳥の巣４を少し持ち上げて手元側に引き寄せてから、櫛１２ａ，１６ａの根元側に纏めた袋体１４を鳥の巣を包み込むように押し広げてやる（図４（ｄ））。最後に、フォーク体１２から袋体１４ごと鳥の巣４を引き抜き、袋体の開口部を閉じることで鳥の巣の撤去が行われる（図４（ｅ））。なお倒立させた押え体１６を倒す動作を、フォーク体１２の握り手１２ｂの手元側で操作可能としてやることも好ましい。
【００２５】
以上に説明した本実施例の鳥の巣の撤去補助器具によれば、実施例１の効果に加え、押え体によって鳥の巣を挟みこむことで鳥の巣を安定して持ち上げることができる。また鳥の巣を挟み込んだ押え体は、袋体により鳥の巣を包み込む際のガイドとなるため、巣材に袋体の開口部が鳥の巣の巣材に引っ掛かることを抑制して包み込み作業を容易化する。
【実施例３】
【００２６】
図５に本発明の撤去補助器具の第３の実施例を示した。この撤去補助器具１０も押え体１６を備えたフォーク体１２と袋体１４等から構成されている。このフォーク体自体は実施例２のものとほぼ同様のものである。
【００２７】
ここでフォーク体１２には、袋体１４を押し広げるために袋体の開口部が仮止めされる枠体１８が取り付けられている。
この枠体１８は、直径が１ｍｍ程度の細棒状の弾性材料を環状に曲げて形成した環状枠であり、フォーク体１２の握り手１２ｂの先端部（櫛１２ａ，１６ａの取り付け部分側）の下側に取り付けられている。ここでその取り付け部分には、枠体１８を押し縮めた状態で掛け止めて保持するためのフック２２が設けられている。このフックにはワイヤ２４が取り付けられており、フォーク体１２の握り手１２ｂの末端部においてこのワイヤを引っ張ることでフックに掛け止めた枠体を開放することができるようになっている。なお図５（ａ）は枠体１８を開放した状態、図５（ｂ）は枠体を押し縮めてフック２２に掛け止めて保持した状態を表している。
【００２８】
またフォーク体１２に取り付けられる袋体１４には、その一側辺に開口部とつながる切れ込み１４ｃが形成されている。この切れ込み１４ｃは、フォーク体１２に突き刺した鳥の巣４を袋体１４に包み込む際には開いているが、鳥の巣を包み込んだ後には粘着テープなどを用いて閉じられることとなる。なおこの切れ込みを袋体１４の両側辺に形成してやることも可能である。
【００２９】
フォーク体１２への袋体１４の取り付けおよびこの撤去補助器具１０の使用は次のように行われる。
撤去補助器具の使用の様子を側面から見た模式図である図６に示すように、まず袋体１４を平置きにしその底部にフォーク体１２の各櫛１２ａおよび倒した状態の押え体１６の各櫛１６ａを突き通し、フォーク体１２の下側に位置する枠体１８の先端部に一定間隔（１０ｃｍ間隔程度）で３箇所程度袋体下面の開口部を粘着テープなどを用いて仮止めしてやる（図６（ａ））。それから袋体１４をフォーク体１２および押え体１６の櫛１２ａ，１６ａの根元側（握り手側）に手繰り寄せて蛇腹状に纏め、枠体１８を押し縮めた状態でフックに掛け止めることで保持してやる（図６（ｂ））。
この状態で撤去補助器具１０のフォーク体１２を鳥の巣４の底部側に突き刺した後に押え体１６を倒して鳥の巣を挟み込んでやる（図６（ｃ））。そして撤去補助器具１０によって鳥の巣４を少し持ち上げた後に（図６（ｄ））、フックに掛け止めた枠体１８を開放し、枠体１８の弾性力によって袋体１４を鳥の巣の底面下方に押し広げてやる（図６（ｅ））。それから鳥の巣４を手元側に引き寄せてから、袋体１４の上面を押し広げて鳥の巣を包み込み、袋体の切れ込み１４ｃを粘着テープなどによって閉じてやる。最後に、フォーク体１２から袋体１４ごと鳥の巣４を引き抜き、袋体の開口部を粘着テープなどによって閉じることで鳥の巣の撤去が行われる（図６（ｆ））。
【００３０】
以上に説明した本実施例の鳥の巣の撤去補助器具によれば、実施例１および実施例２の効果に加え、鳥の巣を持ち上げた直後に枠体によって鳥の巣の底部下方に袋体を押し広げるため、巣材が散けた場合にもこれが零れ落ちることを効果的に防止することができる。なお袋体の側辺に形成された切れ込みにより、枠体による袋体の押し広げをスムーズに行うことが可能となる。
【００３１】
以上説明したように、本発明の鳥の巣の撤去補助器具によれば、送電鉄塔などの構造物に作られた鳥の巣の袋詰めを含む撤去作業が容易化されるだけでなく、撤去作業における巣材の落下をほとんどなくすことができる。
【００３２】
なお本発明の鳥の巣の撤去補助器具の形状および構造は、発明の趣旨を逸脱しない範囲で適宜変更することができるのは勿論である。例えば押え体や枠体をフォーク体の上下両側に設けてやることも可能である。
【００３３】
また本発明の鳥の巣の撤去補助器具は送電鉄塔などの構造物に作られた鳥の巣を撤去することを主目的として発案されたものであるが、これらの場所に限られず巣材の落下をできるだけ防止して鳥の巣を撤去する種々の場面において本発明を使用することも勿論可能である。
【図面の簡単な説明】
【００３４】
【図１】実施例１の撤去補助器具を表した斜視図である。
【図２】実施例１の撤去補助器具の使用の様子を側面から見た模式図である。
【図３】実施例２の撤去補助器具を表した斜視図である。
【図４】実施例２の撤去補助器具の使用の様子を側面から見た模式図である。
【図５】実施例３の撤去補助器具を表した斜視図である。
【図６】実施例３の撤去補助器具の使用の様子を側面から見た模式図である。
【符号の説明】
【００３５】
２  構造物
４  鳥の巣
１０  撤去補助器具
１２  フォーク体
１２ａ  櫛
１２ｂ  握り手
１４  袋体
１４ｃ  切れ込み
１６  押え体
１６ａ  櫛
１８  枠体
２２  フック
２４  ワイヤ
【図２】
2008263705.tif 000003
【図４】
2008263705.tif 000004
【図６】
2008263705.tif 000005
【図１】
2008263705.tif 000006
【図３】
2008263705.tif 000007
【図５】
2008263705.tif 000008